(57)【要約】【課題】光ディスク記録装置におけるレーザ光の最適記録パワー決定方法において、テスト記録領域の品質低下の防止を図る。【解決手段】テスト記録前に、光ディスクのＰＣＡのテスト領域（テスト記録領域）に既に記録されているデータを消去するためのレーザ光の消去パワーが決定される。消去パワーＰＥは、テスト記録時に変化させるレーザ光のパワーの最大値と最小値の略平均値Ｐｃｅｎｔｅｒに、最適記録パワーを求めるための係数ρを乗じて得られた値とする（Ｓ１０３）。パワーＰＥのレーザ光によるデータの消去（Ｓ１０４）の後、テスト記録が行なわれる（Ｓ１０５）。テスト記録後、記録されたデータが再生される（Ｓ１０６）。再生されたデータの信号に基づき、係数ρを用いて最適記録パワーが決定される（Ｓ１０７）。このように、テスト記録前にテスト領域のデータを消去することによって、上書きによるテスト領域の品質の低下を防ぐことができる。【選択図】図４
2007149175.tif 000002
【特許請求の範囲】
【請求項１】
光ディスクに、パワーを変化させつつレーザ光を照射することにより、前記光ディスクのテスト記録領域にデータのテスト記録を行なう工程と、
前記テスト記録されたデータを再生する工程と、
前記再生されたデータの信号に基づき、レーザ光の最適記録パワーを求めるための係数を用いて前記最適記録パワーを決定する工程と、を含む光ディスク記録装置における最適記録パワー決定方法において、
前記テスト記録を行なう工程の前に、前記テスト記録領域に既に記録されているデータを消去するためのレーザ光の消去パワーを決定する工程と、
前記決定された消去パワーのレーザ光を前記テスト記録領域に照射することにより、前記テスト記録領域のデータを消去する工程と、を含み、
前記消去パワーを決定する工程は、前記変化させるパワーの最大値と最小値の略平均値に前記係数を乗じて得られた値を前記消去パワーとする工程を含むことを特徴とする光ディスク記録装置におけるレーザ光の最適記録パワー決定方法。
【請求項２】
光ディスクに、パワーを変化させつつレーザ光を照射することにより、前記光ディスクのテスト記録領域にデータのテスト記録を行なう工程と、
前記テスト記録されたデータを再生する工程と、
前記再生されたデータの信号に基づき、レーザ光の最適記録パワーを求めるための係数を用いて前記最適記録パワーを決定する工程と、を含む光ディスク記録装置における最適記録パワー決定方法において、
前記テスト記録を行なう工程の前に、前記テスト記録領域に既に記録されているデータを消去するためのレーザ光の消去パワーを決定する工程と、
前記決定された消去パワーのレーザ光を前記テスト記録領域に照射することにより、前記テスト記録領域のデータを消去する工程と、を含むことを特徴とする光ディスク記録装置におけるレーザ光の最適記録パワー決定方法。
【発明の詳細な説明】
【技術分野】
【０００１】
本発明は、光ディスクに映像データや音声データ等を記録する前に行なう光ディスク記録装置におけるレーザ光の最適記録パワー決定方法に関する。
【背景技術】
【０００２】
近年、光記録媒体の一つである光ディスクにあっては、大容量のデータの記録／読取が可能なＤＶＤ（Ｄｉｇｉｔａｌ  Ｖｅｒｓａｔｉｌｅ  Ｄｉｓｋ）が広く普及している。特に、データの書き換えが可能なＤＶＤ−ＲＷ（ＤＶＤ  Ｒｅｗｒｉｔａｂｌｅ）やＤＶＤ＋ＲＷ（ＤＶＤ  Ｒｅｗｒｉｔａｂｌｅ）が多くのユーザに使用されている。
【０００３】
ＤＶＤでは、レーザ光が光ディスクに照射され、光ディスクにデータが記録される。例えば、データ書き換え型ＤＶＤでは、レーザ光を用いた相変化方式により、データが光ディスクのデータ記録層に記録される。データ記録層を構成する相変化材料は、結晶相（結晶状態）と非晶質相（非結晶状態）の間を可逆に変化する材料である。
【０００４】
相変化方式では、データを光ディスクに記録するために、データ記録層に記録マークが形成される。記録マークを形成する場合、高パワーのレーザ光がデータ記録層に集光される。高パワーのレーザ光が照射されることにより集光部分の温度は上昇し、原子配列が不規則なものとなる。その後、集光部分は急速に冷却され、不規則な原子配列のまま固化して非結晶状態、すなわちアモルファスとなる。当該アモルファスとなった領域が記録マークとなる。
【０００５】
記録マークを消去する場合、マーク記録時より小さいパワーを持つレーザ光がデータ記録層に集光される。当該レーザ光により、データ記録層は結晶化に必要な温度にされ、アモルファスの領域は結晶化される。このようにして、記録マークが消去される。言い換えれば、記録マークのない領域が確保され、スペースが記録される。
【０００６】
なお、データを読み取る場合、マーク消去時よりもさらにパワーの小さいレーザ光がデータ記録層に照射される。結晶状態の領域と、アモルファスの領域（記録マーク）とでは反射率が異なる。このため、反射したレーザ光の光量の違いにより記録マークの有無を検知することができ、データの読み取りが可能となる。
【０００７】
上記のようにデータ記録層に記録マークやスペースを形成するためには、レーザ光のパワー制御が必要とされる。例えば、記録マークを形成する際に、レーザ光の記録パワーが小さ過ぎると、記録マークを形成することができず、記録パワーが大き過ぎると、形成した記録マークを後で消去できないといった事態が生じることがその理由の一つである。また、別の理由として、スペースを記録するためにレーザ光を光ディスクに照射する際に、消去パワーが大き過ぎると、データ記録層が不必要に熱せられて記録マークが記録されてしまい、消去パワーが小さ過ぎると、記録されている記録マークを消すことができないといった事態が生じることが挙げられる。
【０００８】
また、高精度な記録パワーの制御が求められるＤＶＤとして、２層の記録層を有するＤＶＤが挙げられる。記憶容量の大容量化の趨勢に伴い、当該ＤＶＤが実用化されている。２層の記録層を有するＤＶＤは、記録層が１層であるＤＶＤと比較して、二倍の記憶容量を有するという特長がある。しかしながら、ＤＶＤの表面に近い１層目のデータ記録層より深い位置にある２層目のデータ記録層に、レーザ光を照射して記録マークを形成する場合、高いパワーのレーザ光が求められる。また、高倍速化に伴い、光ディスクへのデータ記録速度が速まり、記録マーク形成時のレーザ光照射時間が短くなっている。従って、照射するレーザ光のパワーを大きくし、レーザ光がデータ記録層に照射されている間に結晶の状態を確実に変化させることが求められる。このため、光ディスクに照射するレーザ光のパワーを高精度に制御することが必要とされる。
【０００９】
そこで、記録担体に不必要な高温を引き起こすことを回避しながら最適な消去パワーを求めるため、照射するレーザ光のパワーにつき、データ記録層の反射率が変化し始めるパワーＰｍｉｎと、反射率が最大になるパワーＰｍａｘとを用いて最適消去パワーＰＥＯを決定する方法が知られている（例えば、特許文献１参照）。
【００１０】
また、予め定められた記録パワーと種々の消去パワーの光でオーバーライトしたランダムパターンを再生して、再生ジッターまたは再生エラーが所定の閾値を超えるパターンを消去したときの消去パワーの最小値Ｐｂ１及び最大値Ｐｂ２を用いて、最適な消去パワーＰｂを求める情報記録方法が知られている（例えば、特許文献２参照）。
【００１１】
さらに、従来より、最適な記録パワーを決定するために、映像データや音声データ等のデータを記録する前に光ディスクにテスト記録を行うＯＰＣ（Ｏｐｔｉｍｕｍ  Ｐｏｗｅｒ  Ｃｏｎｔｒｏｌ）が行なわれている。
【００１２】
例えば、ＯＰＣの際に、記録パワーを可変して書き換え可能型の光ディスクのテスト記録領域に記録を行い、テスト記録領域を再生した信号に基づき最適記録パワーを求めると共に、最適記録パワーに応じた係数と最適記録パワーとから最適消去パワーを求める光ディスク記録装置が知られている。当該光ディスク記録装置は、最適記録パワーと最適消去パワーを用いて光ディスクの記録を行う（例えば、特許文献３参照）。
【００１３】
また、ＯＰＣの際に、ピットが形成される書込パワー、ピット非形成区間が形成される消去パワーおよび分割パルスの底部のボトムパワーが設定されたレーザ光を用いて、光ディスクに記録されている古い情報を消去しながら新しい情報を書き込んでいく書き換え可能型光ディスクの記録方法が知られている。当該方法は、（１）初めに消去パワーおよびボトムパワーを適当な値に固定して書込パワーを様々に変えてテスト信号を光ディスクに記録し、（２）次いで書込パワーを判定された最適値に固定しかつ消去パワーまたはボトムパワーの一方を適当な値に固定して、消去パワーまたはボトムパワーの他方を様々に変えてテスト信号を光ディスクに記録し、（３）次いで書込パワーおよび消去パワーまたはボトムパワーの前記他方を前記判定された最適値にそれぞれ固定して、消去パワーまたはボトムパワーの前記一方を様々に変えてテスト信号を光ディスクに記録し、記録されたテスト信号を再生して記録状態の良否を判定する所定の特性パラメータを検出して、特性パラメータがほぼ最良となるパワーの最適値を判定し、書込パワーと消去パワーとボトムパワーの各最適値の組み合わせでレーザ光のパワーを制御して実記録を行う（例えば、特許文献４参照）。
【特許文献１】特表２００２−５３４７５７号公報
【特許文献２】特開２００４−３１９０６８号公報
【特許文献３】特開２００２−２３７０４６号公報
【特許文献４】特許第３２５９６４２号公報
【発明の開示】
【発明が解決しようとする課題】
【００１４】
特許文献１及び特許文献２に記載の技術においては、データ記録時のマーク消去パワーにつき、テスト記録により最適な消去パワーを求めることができたが、テスト記録を行なう前に、テスト記録を行なう領域のデータを消去するための消去パワーを求めることはできなかった。
【００１５】
特許文献３及び特許文献４に記載の技術においては、テスト記録を含むＯＰＣにより最適な記録パワーを決定することができたが、幾度もテスト記録を行なう領域につき、当該領域の品質の低下を防ぐことができなかった。
【００１６】
本発明は、上記従来例の問題を解決するためになされたものであり、テスト記録領域の品質低下の防止を図ることができる光ディスク記録装置におけるレーザ光の最適記録パワー決定方法を提供することを目的とする。
【課題を解決するための手段】
【００１７】
上記目的を達成するために請求項１の発明は、光ディスクに、パワーを変化させつつレーザ光を照射することにより、前記光ディスクのテスト記録領域にデータのテスト記録を行なう工程と、前記テスト記録されたデータを再生する工程と、前記再生されたデータの信号に基づき、レーザ光の最適記録パワーを求めるための係数を用いて前記最適記録パワーを決定する工程と、を含む光ディスク記録装置における最適記録パワー決定方法において、前記テスト記録を行なう工程の前に、前記テスト記録領域に既に記録されているデータを消去するためのレーザ光の消去パワーを決定する工程と、前記決定された消去パワーのレーザ光を前記テスト記録領域に照射することにより、前記テスト記録領域のデータを消去する工程と、を含み、前記消去パワーを決定する工程は、前記変化させるパワーの最大値と最小値の略平均値に前記係数を乗じて得られた値を前記消去パワーとする工程を含むものである。
【００１８】
請求項２の発明は、光ディスクに、パワーを変化させつつレーザ光を照射することにより、前記光ディスクのテスト記録領域にデータのテスト記録を行なう工程と、前記テスト記録されたデータを再生する工程と、前記再生されたデータの信号に基づき、レーザ光の最適記録パワーを求めるための係数を用いて前記最適記録パワーを決定する工程と、を含む光ディスク記録装置における最適記録パワー決定方法において、前記テスト記録を行なう工程の前に、前記テスト記録領域に既に記録されているデータを消去するためのレーザ光の消去パワーを決定する工程と、前記決定された消去パワーのレーザ光を前記テスト記録領域に照射することにより、前記テスト記録領域のデータを消去する工程と、を含むものである。
【発明の効果】
【００１９】
請求項１の発明によれば、テスト記録の前に、テスト記録領域に既に記録されているデータを消去するためのレーザ光の消去パワーが決定される。この決定の後、決定された消去パワーのレーザ光がテスト記録領域に照射されることにより、テスト記録領域のデータが消去される。このため、テスト記録領域のデータ記録層にテスト用のデータを幾度も上書きすることにより生ずるデータ記録層の劣化を防止できる。その結果、テスト記録領域の品質の低下を防ぐことができる。
【００２０】
また、消去パワーは、テスト記録において変化させるレーザ光のパワーの最大値と最小値の略平均値に、最適記録パワーを求めるための係数を乗じて得られた値となる。これら略平均値及び係数は、最適記録パワーを決定するために光ディスク記録装置に記憶されており、これら略平均値及び係数を用いて容易に消去パワーを決定することができる。
【００２１】
請求項２の発明によれば、テスト記録の前に、テスト記録領域に既に記録されているデータを消去するためのレーザ光の消去パワーが決定される。この決定の後、決定された消去パワーのレーザ光がテスト記録領域に照射されることにより、テスト記録領域のデータが消去される。このため、テスト記録領域のデータ記録層にテスト用のデータを幾度も上書きすることにより生ずるデータ記録層の品質低下を防止できる。
【発明を実施するための最良の形態】
【００２２】
本発明の一実施形態に係る光ディスク記録装置におけるレーザ光の最適記録パワー決定方法について、図１から図４を参照して説明する。本実施形態による光ディスクは、例えばＤＶＤ＋ＲＷ（ＤＶＤ  Ｒｅｗｒｉｔａｂｌｅ）等の書き換え型光ディスクである。
【００２３】
図１は、光ピックアップ装置を搭載した光ディスク記録装置の構成を示している。光ディスク記録装置１は、光ディスク２へデータを記録したり、光ディスク２からデータを読み取ったりする光ピックアップ装置３と、光ディスク記録装置１を制御するためのＣＰＵ（Ｃｅｎｔｒａｌ  Ｐｒｏｃｅｓｓｉｎｇ  Ｕｎｉｔ）等の制御回路で構成される制御部１１と、ユーザが制御部１１へ指示を行なうために操作する操作部１８とを備えている。光ディスク記録装置１は、例えば、パソコンに搭載されるＤＶＤドライブである。
【００２４】
光ディスク２は、ユーザにより光ディスク記録装置１に挿入され、スピンドルモータ１０に装着される。スピンドルモータ１０は、制御部１１により回転駆動され、装着された光ディスク２を回転させる。移動モータ１３は、リニアモータから成り、光ピックアップ装置３を光ディスク２上でその半径方向に移動させる。
【００２５】
光ピックアップ装置３は、レーザ光を出射する半導体レーザダイオード（不図示）を備えている。光ピックアップ装置３のモードは、光ディスク２に記録されたデータを再生する再生モードと、光ディスク２にデータを記録する記録モードとを含む。再生モードでは、レーザ光を用いて光ディスク２に形成されているマークを検出し、光ピックアップ装置３は光ディスク２に記録されているデータを読み取る。また、記録モードでは、半導体レーザダイオードが光ディスク２にレーザ光を出射することにより、光ディスク２にマークが形成され、データが記録される。制御部１１は、データの記録／読取動作において、光ピックアップ装置３に光ディスク２へレーザ光を照射させて、その反射レーザ光を受光させると共に、スピンドルモータ１０を回転させることにより光ディスク２を回転させる。
【００２６】
制御部１１は、装置全体の制御を行なう。制御部１１は、例えば、装置のモードが記録モードである場合、光ディスク２にマークを形成するために、再生モードの時よりも大きなパワーのレーザ光が必要となるため、モードを判別してレーザ光のパワーを制御する。
【００２７】
ＲＯＭ（Ｒｅａｄ  Ｏｎｌｙ  Ｍｅｍｏｒｙ）１２には、制御部１１が装置全体を制御するために用いるデータが格納されている。このデータには、例えば、レーザ光の最適記録パワーを決定するためのデータで構成されるストラテジテーブルや、ストラテジテーブルに基づいて最適記録パワーを決定するためのプログラムや、最適記録パワー決定のために行なわれるテスト記録の前に、既にテスト記録されているデータを消去するのに必要な消去パワーを決定するためのプログラム等が含まれる。ストラテジテーブルには、例えば、テスト記録時に変化させるレーザ光のパワーの最小値と最大値の略平均値と、テスト記録されたデータの再生信号に基づき、最適記録パワーを求めるための係数等が含まれる。
【００２８】
レーザ駆動部１４は、駆動回路で構成され、制御部１１からの信号に基づき、半導体レーザダイオードの発光タイミングやパワーを制御する。また、光ピックアップ装置３に複数半導体レーザダイオードが設けられている場合、特定の半導体レーザダイオードにレーザ光を出射させる。
【００２９】
信号入力部１６は、信号入力回路で構成され、制御部１１からの信号に基づいて動作する。信号入力部１６には、信号入力端子１６ａを介して、デジタルカメラ等の外部機器（不図示）から映像、音楽、文書等の情報を表す各種信号が入力される。信号出力部１７は、信号出力回路で構成され、制御部１１からの信号に基づいて動作する。信号出力部１７からは、信号出力端子１７ａを介して、信号入力部１６から入力された信号や光ディスク２に記録されたデータを表す信号がモニタ、スピーカ等の外部機器（不図示）に出力される。
【００３０】
操作部１８は、光ディスク２への映像等のデータの記録、光ディスク２に記録されているデータの再生等、光ディスク記録装置１の各種動作を指示するためにユーザに操作される各種操作ボタンを備えている。各種操作ボタンが操作されることにより、その操作に対応付けられた信号が制御部１１へ送出される。操作部１８は、例えば、ユーザによって操作され、パソコンに信号を出力するキーボードで構成される。
【００３１】
光ディスク２へのデータの記録は、信号入力部１６から入力された信号等を制御部１１にて符号化し、制御部１１からの信号に基づき、光ピックアップ装置３がその符号データに対応する長さ及び配列で光ディスク２にマークを形成させることにより行われる。
【００３２】
光ディスク２に記録されているデータの読み出しは、光ピックアップ装置３により、光ディスク２に形成されているマークを検出し、制御部１１にてマークの長さや配列を判別して符号データを読み取ることにより行われる。
【００３３】
図２は、光ディスク２を構成するＤＶＤ＋ＲＷのデータ構造を示している。ＤＶＤ＋ＲＷのデータ記録層には、同図に示されるように、レーザ光の最適記録パワーを決定するためにテスト用データがテスト記録されるパワー較正領域（ＰＣＡ：Ｐｏｗｅｒ  Ｃａｌｉｂｒａｔｉｏｎ  Ａｒｅａ）と、映像データや音声データ等を含む各種データを記憶するためのデータ領域とが設けられている。ＰＣＡは、テスト領域とカウント領域とで構成され、当該テスト領域は、テスト記録領域を構成する。テスト領域は、１００個の区画Ｐ００１〜Ｐ１００（ＰはＰａｒｔｉｔｉｏｎの頭文字）に分割されている。また、それぞれ区画は１５個のフレームＦ０１〜Ｆ１５に分けられている。
【００３４】
図３は、テスト記録におけるレーザ光の記録パワーに対する変調度ｍの特性と、記録パワーに対するγ（変調度ｍを微分したもの）の特性を示している。光ディスク２に映像データや音声データ等を記録する場合、その前に、レーザ光の最適記録パワーを決定するためにＯＰＣが行なわれる。
【００３５】
ＯＰＣでは、まず、レーザ駆動部１４が、制御部１１からの信号に基づいて光ピックアップ装置３を動作させ、光ディスク２にパワーを変化させつつレーザ光を照射する。この照射により、ＰＣＡのテスト領域（テスト記録領域）にデータのテスト記録が行なわれる。１回のテスト記録では、ＰＣＡのテスト領域の１区画にテスト用データが記録される。レーザ光の照射時にはパワーが１５段階に変化され、それぞれのパワーで、テスト領域の１区画を構成する１５個のフレームにデータが記録される。なお、記録されるデータは、８／１６変調方式により変調された信号である。８／１６変調方式では、８ビットのデータが、記録に適した１６チャンネルビットのデータ列に変換される。
【００３６】
テスト記録後、光ピックアップ装置３はレーザ光を光ディスク２に出射し、光ディスク２で反射した反射レーザ光を受光する。反射レーザ光は、光ピックアップ装置３により、電気信号であるＲＦ信号に光電変換され、テスト記録されたデータが再生される。制御部１１は、再生されたデータの信号であるＲＦ信号に基づき、レーザ光の最適記録パワーを求めるための係数を用いて最適記録パワーを決定する。
【００３７】
この最適記録パワーを決定する方法について以下に詳述する。ここで、ＲＦ信号の振幅の大きさを示す変調度をｍとする。また、Ｉ１１を、１１Ｔの時間幅を持つマーク及びスペース（マークとマークの間の部分）に対応するＲＦ信号の振幅、Ｉｔｏｐを、スペースに対応するＲＦ信号の値とする。このとき、変調度ｍは数式１で表される。なお、Ｔは変調信号のクロック（チャンネルクロック）周期であり、３８．２ｎｓ（１／ｆ；ｆ＝２６．１６ＭＨｚ）である。
【数１】
2007149175.tif 000003
【００３８】
変調度ｍは、図３の実線に示されるように、レーザ光の記録パワーＰＷに応じて変化する。なお、記録パワーＰＷの減少に伴い、ＲＦ信号の振幅が小さくなるので変調度ｍは小さくなる。また、記録パワーＰＷの増加に伴い、ＲＦ信号の振幅が大きくなるので変調度ｍは大きくなる。
【００３９】
変調度ｍに基づいて最適記録パワーＰＷＯを決定する場合、変調度ｍをＰＷで微分して得られるパラメータγが用いられる。数式２はパラメータγと変調度ｍの関係を示している。
【数２】
2007149175.tif 000004
【００４０】
ＲＯＭ１２には、パラメータγにつき、最適記録パワーＰＷＯを決定するための目標値γｔａｒｇｅｔが記録されている。制御部１１は、図３の破線で示されるパラメータγ−記録パワーＰＷの特性に基づき、目標値γｔａｒｇｅｔが得られる記録パワーＰｔａｒｇｅｔを求める。
【００４１】
また、ＲＯＭ１２には、ＲＦ信号に基づいて最適記録パワーＰＷＯを求めるための係数ρが記録されている。上記のように、Ｐｔａｒｇｅｔは、ＲＦ信号から求められる変調度ｍの特性に基づいて得られる記録パワーであり、係数ρは、この記録パワーＰｔａｒｇｅｔに基づいて最適記録パワーＰＷＯを求めるための係数である。制御部１１は、数式３に示されるように、記録パワーＰｔａｒｇｅｔに係数ρを乗じることにより最適記録パワーＰＷＯを求める。
【数３】
2007149175.tif 000005
【００４２】
このようにして、データ記録時の最適記録パワーＰＷＯはＯＰＣにより決定される。なお、消去パワーＰＥは、ＰＷＯに係数ε（消去パワー／記録パワー比）を乗じることにより得られる。
【００４３】
図４は、光ディスク記録装置１におけるレーザ光の最適記録パワー決定方法の手順を示している。制御部１１は、ＰＣＡのテスト領域全体にテスト用データが記録されているか否かを判断する。テスト用データが記録されている場合（Ｓ１０１でＹｅｓ）、ＲＯＭ１２記録されているストラテジテーブルから記録パワーＰｃｅｎｔｅｒと係数ρが読み出される（Ｓ１０２）。ここで、Ｐｃｅｎｔｅｒは、テスト記録時に変化させるレーザ光のパワーの最大値と最小値の略平均値であり、例えば２０ｍＷである。また、上記のように係数ρは、再生されたデータの信号であるＲＦ信号に基づき、レーザ光の最適記録パワーを求めるための係数である。
【００４４】
制御部１１は、数式４に示されるように、記録パワーＰｃｅｎｔｅｒに係数ρを乗じて得られた値を消去パワーＰＥに決定する（Ｓ１０３）。
【数４】
2007149175.tif 000006
【００４５】
レーザ駆動部１４は、制御部１１からの信号に基づき、光ピックアップ装置３にＰＥのパワーを持つレーザ光を出射させる。このレーザ光により、ＰＣＡのテスト領域に既に記録されているテスト用データが消去される（Ｓ１０４）。
【００４６】
既に記録されているテスト用データが消去された後、制御部１１は、光ディスク２に、パワーを変化させつつレーザ光を照射することにより、テスト領域にデータのテスト記録を行なう。このようにして、新たなテスト用データの記録が開始される（Ｓ１０５）。テスト用データがテスト領域全体に記録されていない場合（Ｓ１０１でＮｏ）も同様に、新たなテスト用データの記録が開始される。
【００４７】
新たなテスト用データが記録された後、レーザ光がテスト領域に照射され、光ピックアップ装置３は反射レーザ光を受光する。光ピックアップ装置３は、反射レーザ光の基づきＲＦ信号を制御部１１に出力する。このようにして、テスト記録されたテスト用データが制御部１１により再生される（Ｓ１０６）。
【００４８】
再生されたデータの信号（ＲＦ信号）に基づき、レーザ光の最適記録パワーを求めるための係数ρを用いて最適記録パワーが制御部１１により決定される（Ｓ１０７）。
【００４９】
このような構成により、テスト記録の前に、ＰＣＡのテスト領域に既に記録されているデータを消去するためのレーザ光の消去パワーが決定される。この決定の後、決定された消去パワーのレーザ光がテスト領域に照射されることにより、テスト領域のデータが消去される。このため、テスト記録領域のデータ記録層にテスト用のデータを幾度も上書きすることにより生ずるデータ記録層の劣化を防止できる。その結果、テスト記録領域の品質の低下を防ぐことができる。また、消去パワーは、テスト記録において変化させるレーザ光のパワーの最大値と最小値の略平均値に、最適記録パワーを求めるための係数を乗じて得られた値となる。これら略平均値及び係数は、最適記録パワーを決定するためにＲＯＭ１２に記憶されており、これら略平均値及び係数を用いて容易に消去パワーを決定することができる。
【００５０】
なお、本発明は、上記各種実施形態の構成に限られず、発明の趣旨を変更しない範囲で種々の変形が可能である。例えば、光ディスク２は、ＤＶＤ＋ＲＷに限られず、ＤＶＤ−ＲＷやＤＶＤ−ＲＡＭ（ＤＶＤ  Ｒａｎｄｏｍ  Ａｃｃｅｓｓ  Ｍｅｍｏｒｙ）であってもよい。また、レーザ光の最適記録パワーを求めるための係数ρは、ＲＯＭ１２ではなく、光ディスク２に記録されていても構わない。また、テスト領域全体ではなく、テスト領域の一部に既にテスト用データが記録されている場合に、テスト用データの消去を行なってもよい。また、テスト用データを消去する際、ＰＣＡのテスト領域のデータだけを消去するのではなく、ＰＣＡのカウント領域のデータも共に消去してもよい。
【図面の簡単な説明】
【００５１】
【図１】本発明の一実施形態に係る光ディスク記録装置の構成を示すブロック図。
【図２】上記実施形態に係る光ディスクのデータ構造を示す図。
【図３】上記実施形態に係る光ディスクへのテスト記録におけるレーザ光の記録パワーに対する変調度ｍの特性と、記録パワーに対するγ（変調度ｍを微分したもの）の特性とを示す図。
【図４】上記光ディスク記録装置におけるレーザ光の最適記録パワー決定方法の手順を示すフローチャート。
【符号の説明】
【００５２】
１  光ディスク記録装置
２  光ディスク
３  光ピックアップ装置
１１  制御部
１２  ＲＯＭ
１４  レーザ駆動部
【図１】
2007149175.tif 000007
【図２】
2007149175.tif 000008
【図３】
2007149175.tif 000009
【図４】
2007149175.tif 000010